(57)【要約】【課題】本発明は、階段の側部近傍の未利用空間の有効利用を図り、併せて箱様収納体１１による収納の多様化適合性のある側板収納階段１を提供すること。【解決手段】側板１１と、この側板１１の水平方向に取付けられる踏板１２と、これらを支承する力桁（図示略）とを少なくとも有する階段であって、前記側板１１には、ものを一時的収納保管する箱様収納体１１１を移動可能手段を介して着脱自在に装着してなることを特徴とする側板収納階段１である。【選択図】図１
2004204466.tif 000002
【特許請求の範囲】
【請求項１】
側板と、この側板に水平方向に取付けられる踏板と、これらを支承する力桁とを少とも有する階段であって、
前記側板には、ものを一時的に収納保管する箱様収納体を移動可能手段を介して着脱自在に装着してなることを特徴とする側板収納階段。
【請求項２】
移動可能手段は、床面埋込みレールの上を移動滑車により動く手段、手摺子吊りレール又はスライドレールに懸吊した移動滑車により動く手段であることを特徴とする請求項１に記載の側板収納階段。
【請求項３】
箱様収納体は、側板の側部近傍、側板の厚壁嵌入収納のいずれかであることを特徴とする請求項１又は請求項２に記載の側板収納階段。
【請求項４】
箱様収納体は、ロング傘収納、ブックオープン収納、郵便物オープン収納、服ハンガークローゼット、棚スライド収納、物置きカウンター、ミラー付きコート収納、履物ブーツ収納、天袋収納体、扁平冷暖房器収納、折りたたみ腰掛収納のいずれかであることを特徴とする請求項１、請求項２、請求項３に記載の側板収納階段。
【請求項５】
箱様収納体は、木材、金属部材、プラスチックス成形部材、ガラス部材又はこれらの組合せからなることを特徴とする請求項１、請求項２、請求項３、請求項４に記載の側板収納階段。
【請求項６】
箱様収納体は、磁気体接合、ダボ接合、フック接合、凹凸嵌合接合のいずれかの置換又は組立て可能手段により季節、家族年令構成、収納ニーズの変化に応じて着脱自在に装着し、組立てなることを特徴とする請求項１、請求項２、請求項４，請求項５に記載の側板収納階段。
【発明の詳細な説明】
【０００１】
【発明の属する技術分野】
本発明は、階段の側部近傍の未利用空間の有効利用を図り、併せて箱様収納体による収納の多様化適合性のある側板収納階段に関する。
【０００２】
【従来の技術】
従来の階段９としては、図１２に示すごとく、側板９１（一点鎖線内）と、その内側下方に配設される力桁９２と、この力桁９２に支承された踏板９３及び蹴込み板９４とからなる階段がある。
そして、上記階段９には、力桁９２に支承された手摺子９５と、これに支承された手摺９６が装着されている。
【０００３】
また、側板９１には、階段９の傾斜に沿った上辺９１１と支柱９７と床面９８とによって囲まれた略三角形状の広面積の側板９１２もある。
この側板９１２と力桁９２の下方である階段下には、一定の空間が形成されるため、例えば物置として利用されていることが多い。
【０００４】
上記物置には、出入口としての開閉扉９９が配設され、物置内に収納された諸物品、例えばストーブ、扇風機、スダレその他季節毎に一時的に不要となった数々の物品が貯蔵されていることが多い。
【０００５】
一方、特許文献１及び特許文献２によれば、「階段用幅木」や「階段の側板」が提案されているが、上記物置及びその開閉扉９９を配設することについては、何ら具体的に開示されていない。
【０００６】
その理由として考えられることの一つに、例えば図１３に示すごとく、いわゆる回り階段と称される「踊り場」９０を有する昇降方向が（ハ）と（ロ）のごとく反転する複雑な形状の階段の場合には、階下に十分なスペースを形成することが出来ず、物置としては不適切な空間である場合が多いからであろうと推察される。
【０００７】
【発明が解決しようとする課題】
しかしながら、従来の階段９の側部近傍には、一般には廊下や玄関上り口としての広間はあるが、通路として一定のスペースを確保しておく必要がある。
そのため、階段９の側部近傍は、従来未利用のままで、いわゆるデッドスペースとして放置されていることが多い。
【０００８】
玄関の上り口において、階段の側部近傍床埋込みレールに、室内植物の植木鉢や下駄箱などが通路の支障を生じないように置かれているに過ぎず、いずれにしても階段の側部近傍の空間は未だ十分有効利用されていない現状にある。
【０００９】
他方、階段９の上方近傍には、図１４に示すごとく、帽子掛けが設けられ、これには各種の帽子８１やマフラーやエプロン８２が乱雑にかけられている場合が見かけられる。しかしながら、これでは見栄えが悪く、玄関口などが外観上好ましくない。
【００１０】
【特許文献１】
特開平１０−１２１７１１号公報
【特許文献２】
特開２００１−３２４７９号公報
【００１１】
本発明は、上記問題点に鑑みてなされたものであって、従来の階段９では、その側板９１の側部近傍、特に上方空間のデッドスペースなどの未利用空間の有効利用を図り、併せて季節や家族年令構成などの収納ニーズの変化に応じた収納の多様化適合性に優れた側板収納階段を提供しようとするものである。
【００１２】
【課題を解決するための手段】
本発明が採った手段は、従来の階段９の課題を解決するため、下記に示す請求項１〜請求項６に記載した発明を採用するものである。なお、本発明を具体的に説明するため、実施例において使用する図面の符号を用いて以下説明する。
請求項１に記載の発明が採った手段は、側板１１と、この側板１１に水平方向に取付けされる踏板１２と、これらを支承する力桁とを少なくとも有する階段であって、
前記側板１１には、ものを一時的に収納保管する箱様収納体を移動可能手段を介して着脱自在に装着してなることを特徴とする側板収納階段１を提供するものである。
これにより、側板１１の側部近傍において、従来十分に利用されていなかった側板１１の側部近傍上方などのデッドスペースを活用することが出来る共もに、季節や家族年令構成などの収納ニーズの変化に応じて、収納の多様化適合性に優れた側板収納階段１を提供することが出来る。
【００１３】
次に、請求項２に記載の発明が採った手段は、移動可能手段は床面埋込みレール１３０の上を移動滑車１６により動く手段、手摺子吊りレール又はスライドレールに懸吊した移動滑車１６により動く手段であることを特徴とする側板収納階段１を提供するものである。
これにより、側板１１の側部近傍の床面としての床面埋込みレール１３０の上を移動滑車１６で箱様収納体１１１を適宜移動したり、側板１１の側部近傍の上方空間としてのデッドスペースの有効活用を図ることが出来る。
【００１４】
請求項３に記載の発明が採った手段は、側板１１の側部近傍、厚壁嵌入収納のいずれかであることを特徴とする側板収納階段１を提供するものである。
これにより、側板１１の側部近傍としての床面の有効利用はもとより、側板１１の一部に形成した凹部に嵌め込んだ、例えば扁平冷暖房器収納１１２４（図８参照）やヒンジ１１２６付き折りたたみ腰掛収納１１２７（図９参照）などの形態で側板１１の側部近傍の空間を有効活用することが出来る。
【００１５】
請求項４に記載の発明が採った手段は、箱様収納体はロング傘収納１１２、履物ブーツ収納１１３、、ブックオープン収納、郵便物オープン収納、服ハンガークローゼット、棚スライド収納１１５、物置きカウンター１１４、ミラー付きコート収納、天袋収納体１１６、扁平冷暖房器収納、折りたたみ腰掛収納１１２５のいずれかであることを特徴とする側板収納階段１を提供するものである。
これにより、収納ニーズの変化により各種の収納物の多様化に十分対応することが出来ると共に、比較的小さい空間をも有効利用することが出来る。
【００１６】
請求項５に記載の発明が採った手段は、箱様収納体１１１は、木材、金属部材、プラスチック成形部材、ガラス部材又はこれらの組合せからなることを特徴とする側板収納階段１を提供するものである。
これにより、各種部材又はこれらの組合せからなる用途により多機能の箱様収納体１１１を提供し、各種の収納物の有効利用をすることが出来る。
【００１７】
請求項６に記載の発明が採った手段は、箱様収納体は磁気体接合、ダボ接合、フック接合、凹凸嵌合接合のいずれかの置換又は組立て可能手段により、季節、家族年令構成、収納ニーズの変化に応じて着脱自在に装着し組立ててなることを特徴とする側板収納階段１を提供するものである。
これにより、春夏秋冬の四季折々に必要な各種の日用品を箱様収納体に収納し、更には家族年令構成例えば老若男女の人員に応じた収納ニーズの変化に適合出来るよう、箱様収納体１１の部分収納パーツとしての収納の多様化適合性を向上させることが出来る。
【００１８】
【発明の実施の形態】
本発明は、側板１１と、この側板１１に水平方向に取付けられる踏板１２と、これらを支承する力桁（図示略）とを少なくとも有する階段を提供するものである。
そのため、側桁階段や「ささら桁階段」はもとより、踏板１２に略垂直に蹴込み板１２１を接合した箱階段、更に「踊場」を取付けた回り階段、折返し階段などにも適用出来る。
そして、必要に応じて踏板１２の受け台や底板を配設することは、当業者が適宜実施し得るものである。
【００１９】
本発明において、最も注目すべきことは、前記側板１１には、ものを一時的に収納保管する箱様収納体１１１を移動可能手段を介して着脱自在に装着してなることである。
これにより、例えば階下の物置の開閉扉（図１２参照）を開ける場合には、その開閉に支障を生じないように空間を確保すべく、箱様収納体１１１を移動可能手段により適宜移動することが出来る。
【００２０】
なお、側板１１には、箱様収納体１１１が前方や後方側に転倒したり、箱様収納体１１１と脱離しないよう、その後方において手摺兼用のスライドレール１１０が配設してある。また、手摺子吊りレールに懸吊した移動滑車により箱様収納体１１１は側板１１より一定距離を隔て平行移動する。そして、側板１１には、その側部近傍の一部に扁平冷暖房器収納や折りたたみ腰掛収納が嵌め込まれて厚壁嵌入収納される形態もある。
【００２１】
つまり移動可能手段は、床埋込みレール１３の上を移動滑車１６により動く手段を有し、また側板１１は手摺子吊りレール１４２又はスライドレール１１０に懸吊した移動滑車１６により動く手段を有しているため、箱様収納体１１１は側板１１に移動可能手段を介して着脱自在に装着してある状態にある。そのため、側板１１と箱様収納体１１１とは移動可能手段を介して一体をなしていることが必要である。
【００２２】
したがって、箱様収納体１１１は、側板１１の側部近傍又は側板１１の厚壁嵌入収納として側板１１の一部である収納凹部１１２８に、例えば扁平冷暖房器収納１１２４（図８参照）、又は折りたたみ腰掛収納１１２５（図９参照）のごとく、側板１１の一部に直接嵌着されている形態のものがあり、これはヒンジ１１２６等の動く手段により着脱自在に装着されているのである。
【００２３】
箱様収納体１１１としては、例えば数本の傘を収納出来るロング傘収納１１２があり、これには下方部に雨水溜としての受皿１１２０を有する。また、上方部には小物などを収納できる収納棚１１２１も有する（図５参照）。
【００２４】
また、箱様収納体１１１としては、例えば雑誌やその他の刊行物等を一時的収納保管するためのブックオープン収納１１２２がある（図６参照）。このブックオープン収納１１２２はスペースに合せて２段や３段、更には多段のものがある。また、側板１１に凹部を設け、その凹部にブックオープン収納１１２２全体を嵌め込んで配置した埋込みタイプのものもある。この埋込みタイプのブックオープン収納１１２２は、側板１１の側部を直接に利用した嵌め込み治具という一種の移動可能手段を介して着脱自在に装着してなる本発明の一実施態様である（図６参照）。
【００２５】
次に、箱様収納体１１１としては、例えば電話やファックスその他電話帳、メモ帳をし載置しておく、棚スライド収納又は服ハンガークローゼット１１２３がある（図７参照）。これも側板１１の側部に設けた凹部に嵌め込み治具（図示略）を介して着脱自在に装着してある一実施態様である。
【００２６】
そして、箱様収納体１１１としては、例えば扁平冷暖房器収納１１２４（図８参照）がある。これを嵌め込め治具（図示略）を介して着脱自在に装着してある一実施態様である。
【００２７】
同様にして、来客時に玄関において来客者が一時的に腰を掛けて会話することが出来る折りたたみ腰掛収納１１２５がある（図９参照）。これは、ヒンジ１１２６を介して折り込み可能椅子１１２７が側板１１に設けた収納凹部１１２８内に折りたたみ移動可能に収納出来る一種の移動可能手段を介して着脱自在に装着してなる本発明の一実施態様の例示である。
【００２８】
その他、郵便物オープン収納、服ハンガークローゼット１１３、物置きカウンター１１５、天袋収納体１１６（いずれも図１参照）がある。また、前記ブックオープン収納１１２２に類似の郵便物オープン収納（図示略）、ロング傘収納１１２に類似の服ハンガークローゼットや履物ブーツ収納などの各種の収納箱がある。また、前面略中央部に鏡を装着したミラー付きコート収納（図示略）もある。
【００２９】
また、箱様収納体１１１は、各種の木材、例えば針葉樹木、広葉樹木、ラワン合板、集成材などの木材よりなる。また、各種のジョイント接合具、蝶番、補強材、釘などの金属部材よりなる。そして、収納箱としてのプラスチックス成形部材やガラス板又は鏡などのガラス部材によっても構成される。
【００３０】
そして、箱様収納体１１１は、マグネット金具などの磁気体接合、丸木具や竹材からなるダボ接合、各種形状の金属製のフック接合やプラスチックス成形物や金属成形物からなる凹凸嵌合接合のいずれかにより構成することが出来る。
【００３１】
これにより、春夏秋冬の四季に応じて履き物や服などを入れ替えたり、家族年令構成に応じて老若男女が使用する各種の日常雑貨物の収納ニーズの変化に適合した側板収納階段１を提供すと共に、箱様収納体１１１の各パーツは前記各種の接合具を介して着脱自在に装着し、一つの箱様収納体１１１のユニットを構成することが出来る。
【００３２】
（実施例１）
本例は、図１〜図３に示すごとく、床面１３に設けた床面埋込みレール１３０の上を移動滑車１６により移動する箱階段としての側板収納階段１を提供するものである。
側板収納階段１は、側板１１と、これに水平方向に取付けた踏板１２と、この踏板１２に垂直に接合した蹴込み板９４（図１２参照）と、これらを支承する力桁９２（図１２参照）とよりなる箱階段である。
【００３３】
また、図１に示すごとく、床面１３には２本の床埋込みレール１３０、１３０が平行に敷設してある。側板収納階段１の向って右側の側板１１の側部近傍には、手摺兼用のスライドレール１１０が配設してある。そして、箱様収納体１１は、その下方においては複数の移動滑車１６を有し、この移動滑車１６は動く手段の一実施態様である。
【００３４】
前記床面埋込みレール１３０は、図３に示すごとく、二本の滑車挿入用の溝１３１を有している。また、箱様収納体１１１は天袋収納体１１６の上方にプラスチック製の透明な保護被覆体を有する。
【００３５】
箱様収納体１１１は、ロング傘収納１１２と履物ブーツ収納１１３と物置きカウンター１１４と棚スライド収納１１５と天袋収納体１１６とを有する。ロング傘収納１１２は、図４上段図に示すごとく、長い取手１１２０を有している。また、ブックオープン収納１１３は図４下段図に示すごとく、丸い把手１１３０を有している。
【００３６】
なお、前記ロング傘収納１１２とブックオープン収納１１３と物置きカウンター１１４と棚スライド収納１１５と天袋収納体１１６とは、相互に各数箇所において、木製のダボ接合及び金属製の磁気体接合により強固に連結されている。
【００３７】
側板収納階段１は、左側の側板１１の上方に壁面に支承された手摺１４を有する。そして、側板収納階段１は下方において踊場１５を有する。この踊場１５は、箱様収納体１１１が移動する場合において、手摺付きのスライドレール１１０が当接しないように、該階段との間に若干の隙き間を有している。
【００３８】
そして、側板収納階段１は、力桁９２（図１２参照）を有すると共に、右側の側板１１と左側の側板１１とは略対向するよう取付けてある。また、踏板１２は滑り止めの段鼻付きのステッパー（図示略）を有する。その他、階段に通常取付けられる部品は、当業者が適宜採用するよう取付けてある（図示略）。
【００３９】
以上説明した如く、本例の側板収納階段１は、床面埋込みレール１３０の上を下方に配置した移動滑車１６により移動させることが出来るため、階下の物置の開閉扉９９の開閉時には、その開閉に支障を生じない程度、移動させることが出来る。これにより、季節の変化により不用となったストーブや扇風機又はスダレなどを物置に出入れすることが出来る。
【００４０】
（実施例２）
本例は、図１０及び図１２に示すごとく、右側の側板１１に支承された手摺１４を有する側板収納階段１を提供するものである。手摺１４は、その下方において数本の手摺子１４１を有しており、各々の手摺子１４１はその下方先端部がそれぞれ側板１１より水平方向に突出している。そして、その突手粒１４２には、図１０に示すごとく、吊りレール１４３が取付けてある。
【００４１】
この吊りレール１４３には、図１１に示すごとく、扁平状の移動滑車１６が配設してある。そのため、箱様収納体１１１の移動に際しては、この移動滑車１６がコ字状の滑動用の吊りレール１４３の内部を移動すると共に、箱様収納体１１１を常時支承する強度を有する金属製の懸吊用支持具よりなる。
【００４２】
前記箱様収納体１１１は、実施例１と同様に構成されている。また、側板収納階段１の構成も実施例１と同様に構成されている。なお、箱様収納体１１１の構成は、季節や家族年令構成により実施例１とは、異なった構成を採用することも出来る。また、木製のダボ接合及び金属製の磁気体接合又はフック接合が使用してある。
その他は、実施例１と同様である。
【００４３】
これにより、実施例１に比較して、床面の床埋込みレール１３０が配設されていないため、床面の利用上便利であり、側板１１の側部近傍の上方部のデッドスペースが有効利用出来る利点がある。
なお、前記吊りレール１４３は、床面より約２メートル以上の位置に配設されている。そのため、人の通路には支障を生じることはない。
【００４４】
【発明の効果】
以上説明した如く、本発明は請求項１〜請求項６によって構成されているため、以下に示すごとく、諸々の効果を発揮するものである。
【００４５】
請求項１に記載の発明によれば、側板１１の側部近傍において、従来十分に利用されていなかった側板１１の上方などのデッドスペースを活用することが出来ると共に、季節や家族年令構成などの収納ニーズの変化に応じて、収納の多様化適合性に優れた側板収納階段１を提供することが出来る。
【００４６】
また、請求項２に記載の発明によれば、側板１１の側部近傍の床面１３としての床用埋込みレール１３０の上を移動滑車１６で箱様収納体１１１を適宜移動したり、側板１１の側部近傍の上方空間としてのデッドスペースの有効利用を図ることが出来る。
【００４７】
そして請求項３に記載の発明によれば、側板１１の側部近傍としての床面の有効利用はもとより、側板１１の一部に形成した凹部に嵌め込んだ例えば扁平冷暖房器収納１１２４や折りたたみ腰掛収納１１２７などの形態で側板１１の側部近傍の空間を有効活用することが出来る。
【００４８】
また請求項４に記載の発明によれば、収納ニーズの変化により各種の収納物の多様化に十分対応することが出来ると共に、比較的小さい空間をも有効利用することが出来る。
そして、請求項５に記載の発明によれば、各種部材又はこれらの組合せからなる用途により、多機能の箱様収納体１１１を提供し、各種の収納物の有効利用をすることが出来る。
【００４９】
更に、請求項６に記載の発明によれば、春夏秋冬の四季折々に必要な各種の日用品を箱様収納体に収納し、更には老若男女の人員に応じた収納ニーズの変化に適合出来るよう、箱様収納体１１１の部分収納パーツとしての収納の多様化適合性を向上させることが出来る。
以上説明したように、本発明によれば、階段の側部近傍の未利用空間の有効利用を図り、併せて箱様収納体による収納の収納の多様化適合性のある側板収納階段１を提供することが出来る。
そして、従来の階段９のごとく、階下において配設された物置は、階段１１１の移動により開閉扉９９を開閉することにより、有効利用することが出来る。
【図面の簡単な説明】
【図１】実施例１に係る側板収納階段の斜視図である。
【図２】実施例１における側板収納階段の（イ）−（ロ）部分の断面図である。
【図３】実施例１における床面上に配設した床面埋込みレールの斜視図である。
【図４】実施例１における階段及び履物ブーツ収納の斜視図である。
【図５】実施例１における階段の開扉状態を示す斜視図である。
【図６】側板に嵌め込みする場合のブックオープン収納の斜視図である。
【図７】側板に嵌め込みする別態様の物置きカウンターの斜視図である。
【図８】側板に嵌め込みする更に別態様の扁平冷暖房器収納の斜視図である。
【図９】側板に嵌め込みする他の実施態様の折りたたみ腰掛収納の斜視図である。
【図１０】実施例２に係る側板収納階段の斜視図である。
【図１１】実施例２における側板収納階段の吊りレールと滑車の部分斜視図である。
【図１２】従来の階段の略全体を示す側面説明図である。
【図１３】従来の回り階段の斜視図である。
【図１４】従来の階段の側板の利用態様を示す斜視図である。
【符号の説明】
１      側板収納階段
１１    側板
１１０  手摺付きスライドレール
１１１  箱様収納体
１１２  ロング傘収納
１１３  履物ブーツ収納
１１４  物置きカウンター
１１５  棚スライド収納
１１６  天袋収納体
１２    踏板
１２１  蹴込み板
１３    床面
１３０  床面埋込みレール
１４    手摺
１５    踊場
１６    移動滑車
【図１】
2004204466.tif 000003
【図２】
2004204466.tif 000004
【図３】
2004204466.tif 000005
【図４】
2004204466.tif 000006
【図５】
2004204466.tif 000007
【図６】
2004204466.tif 000008
【図７】
2004204466.tif 000009
【図８】
2004204466.tif 000010
【図９】
2004204466.tif 000011
【図１０】
2004204466.tif 000012
【図１１】
2004204466.tif 000013
【図１２】
2004204466.tif 000014
【図１３】
2004204466.tif 000015
【図１４】
2004204466.tif 000016